(57)【要約】      （修正有）【課題】少なくとも一本の医療用配線を受け入医療用配線マネージャーが組み込まれたサイドレールを提供する。【解決手段】サイドレールアセンブリは、サイドレール２４及び医療用配線マネージャー４４を備える。サイドレールには、第１表面３６、第２表面、及び第１表面付近と第２表面付近の間に延びる側面４０を有するサイドレール本体３２が含まれる。医療用配線マネージャーは、サイドレールの第１表面、第２表面、及び側面の少なくとも一つに組み込まれる。医療用配線マネージャーには、第１側面、第２側面、及び第１側面付近と第２側面との間に延びる底面を含む。医療用配線マネージャーは、その中に少なくとも１本の医療用配線を受け入れ、取り外し自在に保持するように構成されている。【選択図】図２
2011019912.tif 000002
【特許請求の範囲】
【請求項１】
人をその上で支えるように構成されたフレームと、
前記フレームに結合されたサイドレールと
を備える人体支持装置であって、
前記サイドレールは、第１表面、第２表面、及び前記第１表面付近と前記第２表面との間に延びる第３表面を含み、前記第１表面は前記第１表面が前記フレームの方に向くように方向付けられ、前記第２表面は前記第２表面が前記フレームから離れる方に向くように方向付けられ、前記第３表面はその中に少なくとも１本の医療用配線を受け入れ、取り外し自在に保持するように構成されている医療用配線マネージャーを有する、人体支持装置。
【請求項２】
前記医療用配線マネージャーは溝となり得る、請求項１に記載の人体支持装置。
【請求項３】
前記医療用配線はその中に液体を通すように構成されている、請求項１に記載の人体支持装置。
【請求項４】
前記医療用配線はその中に各電子信号を通すように構成されている、請求項１に記載の人体支持装置。
【請求項５】
前記医療用配線は酸素ライン及び静脈ラインの少なくとも一つである、請求項１に記載の人体支持装置。
【請求項６】
前記フレームはトレンデレンブルグ体位と逆トレンデレンブルグ体位との間を連接する、請求項１に記載の人体支持装置。
【請求項７】
前記サイドレールはグリップ部を含む、請求項１に記載の人体支持装置。
【請求項８】
前記医療用配線マネージャーは、第１端、第２端、及び前記第１端と前記第２端との間に延びるベースを含むことができ、前記ベースは前記サイドレール本体内に埋め込まれている、請求項１に記載の人体支持装置。
【請求項９】
前記医療用配線マネージャーは、第１端、第２端、及び前記第１端と前記第２端との間に延びるベースを含むことができ、前記第１端及び前記第２端の少なくとも一つが前記サイドレール本体から突き出ている、請求項１に記載の人体支持装置。
【請求項１０】
前記フレームは、頭部端及び足部端を有する上段フレームを含み、前記上段フレームの前記頭部端は前記上段フレームの前記足部端に対して移動可能である、請求項１に記載の人体支持装置。
【請求項１１】
第１表面、第２表面、及び前記第１表面付近と前記第２表面付近との間に延びる側面を有するサイドレール本体を備えたサイドレールと、
前記サイドレールの前記第１表面、前記第２表面、及び前記側面のうち少なくとも一つに組み込まれる医療用配線マネージャーと
を備えるサイドレールアセンブリであって、
前記医療用配線マネージャーは、第１側面、第２側面、及び第１側面付近と第２側面付近との間に延びる底面を含み、前記医療用配線マネージャーは、その中に少なくとも１本の医療用配線を受け入れ、取り外し自在に保持するように構成されている、サイドレールアセンブリ。
【請求項１２】
前記医療用配線マネージャーは溝となり得る、請求項１１に記載のサイドレールアセンブリ。
【請求項１３】
前記第１側面及び前記第２側面は水平に同一平面上にない、請求項１１に記載のサイドレールアセンブリ。
【請求項１４】
前記第１側面及び前記第２側面は水平に同一平面上にある、請求項１１に記載のサイドレールアセンブリ。
【請求項１５】
前記第１側面は第１医療用配線係合面を含み、前記第２側面は第２医療用配線係合面を含み、前記第１医療用配線係合面及び前記第２医療用配線係合面のうち少なくとも一つは湾曲部により前記底面に接続されている、請求項１１に記載のサイドレールアセンブリ。
【請求項１６】
前記第１側面は第１医療用配線係合面を含み、前記第１医療用配線係合面は前記底面に対して少なくとも約９０°の角度で接続されている、請求項１１に記載のサイドレールアセンブリ。
【請求項１７】
前記第２側面は第２医療用配線係合面を含み、前記第２医療用配線係合面は前記底面に対して少なくとも約１００°の角度で接続されている、請求項１１に記載のサイドレールアセンブリ。
【請求項１８】
前記第１側面及び前記第２側面の少なくとも一つの少なくとも一部が湾曲している、請求項１１に記載のサイドレールアセンブリ。
【請求項１９】
前記第１側面及び前記第２側面の少なくとも一つは、前記サイドレール本体の概ねの厚さよりも薄い厚さである、請求項１１に記載のサイドレールアセンブリ。
【請求項２０】
前記医療用配線マネージャーは、その中に２８ＦＲの少なくとも４本の医療用配線を受け入れ、取り外し自在に保持するように構成されている、請求項１１に記載のサイドレールアセンブリ。
【請求項２１】
前記医療用配線マネージャーは、およそ１インチ未満の直径である医療用配線を受け入れ、取り外し自在に保持するように構成されている、請求項１１に記載のサイドレールアセンブリ。
【請求項２２】
前記サイドレールは人体支持装置のフレームに結合され、前記フレームは、頭部端及び足部端を含み、前記頭部端及び前記足部端を通って延びる縦軸と、前記縦軸に実質的に垂直な横軸とを有する、請求項１１に記載のサイドレールアセンブリ。
【請求項２３】
前記底面は前記縦軸に対しておよそ９０°未満の角度であるように配向されている、請求項２２に記載のサイドレールアセンブリ。
【請求項２４】
前記サイドレールはグリップ部を含み、前記医療用配線マネージャーの少なくとも一部は前記グリップ部の一部に組み込まれる、請求項１１に記載のサイドレールアセンブリ。
【請求項２５】
前記グリップ部は前記サイドレール本体にグリップ開口部を含み、前記グリップ開口部は内面を定義し、前記底面の一部が前記内面の一部に正接するように前記底面が配向されている、請求項１１に記載のサイドレールアセンブリ。
【請求項２６】
前記サイドレールは上部及び下部を含み、前記医療用配線マネージャーの少なくとも一部は前記サイドレールの前記上部に沿って前記側面に組み込まれる、請求項１１に記載のサイドレールアセンブリ。
【請求項２７】
前記サイドレールは上部及び下部、及び前記上部と前記下部との間に延びる端部を含み、前記医療用配線マネージャーの少なくとも一部は前記サイドレールの前記端部に沿って前記側面に組み込まれる、請求項１１に記載のサイドレールアセンブリ。
【請求項２８】
第１端及び第２端を含み、前記第１端及び前記第２端を通って延びる縦軸と、前記縦軸に実質的に垂直である横軸とを有するフレームと、
前記フレームの前記第１端及び前記第２端の少なくとも一つに連結されたエンドボードと、
フレームに連結されたサイドレールと、
前記エンドボード及び前記サイドレールの少なくとも一つに組み込まれた医療用配線マネージャーと
を備える人体支持装置であって、
前記医療用配線マネージャーは第１側面、第２側面、及び前記第１側面付近と前記第２側面付近との間に延びる底面を含み、前記医療用配線マネージャーはその中に少なくとも１本の医療用配線を受け入れ、取り外し自在に保持するように構成される、人体支持装置。
【請求項２９】
前記エンドボード及び前記サイドレールの少なくとも一つがグリップ部を含み、前記医療用配線マネージャーの少なくとも一部が前記グリップ部の一部に組み込まれる、請求項２８に記載の人体支持装置。
【請求項３０】
前記第１側面及び前記第２側面は水平に同一平面上にない、請求項２８に記載の人体支持装置。
【請求項３１】
前記医療用配線マネージャーは第１側面、第２側面、及び前記第１側面付近と前記第２側面との間に延びる底面を含み、前記第１側面と前記第２側面の少なくとも一つが前記サイドレール本体の概ねの厚さよりも薄い厚さである、請求項２８に記載の人体支持装置。
【請求項３２】
前記医療用配線マネージャーはその中に２８ＦＲの少なくとも４本の医療用配線を受け入れ、取り外し自在に保持するように構成されている、請求項２８に記載の人体支持装置。
【発明の詳細な説明】
【技術分野】
【０００１】
本開示は、一般に人体支持装置に関する。より具体的、しかし限定することなく、例示の一実施形態は、医療用の各配線を管理するように構成できるサイドレールに関する。
【０００２】
＜関連する出願への相互参照＞
本出願は２００９年７月１５日に出願された米国仮出願番号６１／２２５，９２１号「ＳＩＤＥＲＡＩＬ ＷＩＴＨ ＳＴＯＲＡＧＥ ＡＲＥＡ」に基づく優先権を主張し、その内容を参照により本願明細書に援用する。
【発明の概要】
【発明が解決しようとする課題】
【０００３】
入院患者は、各医療用配線により機器が接続されることがある。患者の動作によって、配線が動いたり、人体支持装置又は他の物体に引っかかったりすることがあり、それにより患者及び／又は装置から配線の接続が外れる可能性がある。様々な人体支持装置が開発されてきたが、未だ改善の余地がある。従って、この技術分野における更なる貢献の必要性が存続している。
【課題を解決するための手段】
【０００４】
本開示は、添付の請求の範囲に詳述された特徴のうちの一つ以上、及び／又は単独或いは任意の組み合わせにより特許性のある主題を含み得る以下の特徴を含んでいる。
【０００５】
本開示の例示的な一実施形態には、少なくとも一本の医療用配線を受け入れ、医療用配線マネージャー内で医療用配線を維持するように構成することができる医療用配線マネージャーが組み込まれたサイドレールが含まれる。
【０００６】
単独又は上記に列挙された特徴及び請求項に列挙された特徴並びに以下に詳細に説明される特徴を含む任意の他の特徴と組み合わせた追加的な特徴は、特許性のある主題を含み得る。その他は、現在理解されているように本発明を実施する最良の形態を例証している例示的な各実施形態の以下の詳細な説明を鑑みることで、当業者には明らかとなるであろう。
【０００７】
次に、各図面の例示的な実施形態を参照し、各図面における同様の番号は全体を通じて同じ又は同様の要素を表している。
【図面の簡単な説明】
【０００８】
【図１】図１は、例示の一実施形態に基づく各サイドレールが連結されたフレームを含む人体支持装置の側面斜視図である。
【図２】サイドレールと一体化された医療用配線マネージャーを有する図１の頭部サイドレールの側面斜視図である。
【図３】別の例示的な実施形態に基づく頭部サイドレールに組み込まれた医療用配線マネージャーを有する図１の各サイドレールの側面斜視図である。
【図４】図２の医療用配線マネージャーの側面図である。
【図５】図２の医療用配線マネージャーの上面図である。
【図６】図１のサイドレールの端に組み込まれた医療用配線マネージャーを示す図１の人体支持装置の側面図である。
【図７】足部サイドレールに組み込まれた医療用配線マネージャーを有する図１の各サイドレールの側面図である。
【図８】第１位置における図１の各サイドレールの側面図である。
【図９】第２位置における図１の各サイドレールの側面図である。
【図１０】エンドボード内に組込まれた医療用配線マネージャーを有する人体支持装置の側面斜視図である。
【発明を実施するための形態】
【０００９】
本開示は様々な形をとることができるが、本開示の原理の理解を促す目的で、各図面中に例示された各実施形態を参照し、特定の文言が該実施形態を説明するために使用される。それにより、本開示の範囲を制限することを意図するものではない。本願明細書に記載されている通り、説明された各実施形態の様々な変更、更なる修正、及び本開示の原理の更なる適用が考慮されている。
【００１０】
本開示の例示的な一実施形態には、少なくとも一本の医療用配線を受け入れ、医療用配線マネージャー内に医療用配線を維持するように構成できる統合された医療用配線マネージャーを有するサイドレールを含み得る。
【００１１】
本開示に例示的な一実施形態に基づく人体支持装置１０が図１に示されている。人体支持装置１０は、人の頭を置くことができる第１部分Ｆ１又は頭部サポート部分Ｆ１と、人の足を乗せることができる第２部分Ｓ１又は足サポート部分Ｓ１とを有することができる。当然のことながら、第１部分Ｆ１及び第２部分Ｓ１は同一部分の一部であり得る。例示の一実施形態において、人体支持装置１０は病院用ベッドであり得る。当然のことながら、人体支持装置１０は、病院の担架又は手術台であってもよい。人体支持装置１０は、下段フレーム１２又はベース１２、下段フレーム１２に連結された複数のサポート１４、及び下段フレーム１２の上で各サポート１４上に支えられる上段フレーム１６を有することができる。当然のことながら、各サポート１４は、下段フレーム１２に対して上段フレーム１６を移動させることができる各リフト機構１４であってもよい。同様に当然のことながら、例示の一実施形態において、人体支持装置１０は、その上で人体支持表面１８を支えることができる。当然のことながら、各サポート１４は下段フレーム１２に対して上段フレーム１６をトレンデレンブルグ及び／又は逆トレンデレンブルグ体位に移動させることができる。
【００１２】
上段フレーム１６は、図１に示すように、縦軸Ｘ１及び横軸Ｙ１を定義できる。縦軸Ｘ１は、上段フレーム１６の横方向の中心に沿って第１部分Ｆ１及び第２部分Ｓ１を通って少なくとも人体支持装置１０の長さを延長できる。横軸Ｙ１は縦軸Ｘ１に対して垂直であり、上段フレーム１６の縦方向の中心に沿って少なくとも人体支持装置１０の幅を延長できる。上段フレーム１６は、図１及び図２に示すように、中間フレーム２０、デッキ２２、及び各サイドレール２４を有することができる。当然のことながら、上段フレーム１６は、例えば、そこに連結されたヘッドボードＨＢ１及びフットボードＦＢ１などの各エンドボードを有することができる。中間フレーム２０は、図１及び図２に示すように、各サポート１４と連結させることができ、その上のデッキ２２を支えることができる。デッキ２２は頭部２６、座部２８、及び足部３０を有することができる。頭部２６、座部２８、及び足部３０は相互に及び中間フレーム２０と移動可能に連結させることができる。
【００１３】
各サイドレールは、図１〜図９に示すように、縦軸Ｘ１と平行にできるサイドレール軸ＳＸ１を定義できる。各サイドレール２４は、図１〜図９に示すように、上部ＳＴ１、下部ＳＢ１、端部ＳＥ１、及びサイドレール連結部３４を有するサイドレール本体３２を含むことができる。例示の一実施形態において、各サイドレール２４は、３インチ未満の厚さＴＳ１にすることができる。当然のことながら、各サイドレール２４は、およそ１.５インチからおよそ２インチまでの厚さＴＳ１とすることができる。
【００１４】
サイドレール連結部３４は、図１に示すように、サイドレール本体３２の下部ＳＢ１に連結させることができ、さらに各サイドレール２４をデッキ２２及び／又は中間フレーム２０に連結させることができる。例示の一実施形態において、各サイドレール２４は、図１に示すように、デッキ２２の頭部２６（すなわち、第１サイドレール２４ａ又は頭部サイドレール２４ａ）に連結させることができ、及び／又はデッキ２２の足部３０及び／又は中間フレーム２０（すなわち、第２サイドレール２４ｂ又は足部サイドレール２４ｂ）に連結させることができる。サイドレール連結部３４は、配置／操作位置と保管位置との間で各サイドレール２４の動作を円滑にするように構成できる。図１に示すように、配置／操作位置において、各サイドレール２４の少なくとも一部が上段フレーム１６の上にあるようにすることができる。保管位置においては、各サイドレール２４の少なくとも一部が上段フレーム１６の下になるように、各サイドレール２４はより低い位置に移動可能である。当然のことながら、サイドレール連結部３４は、固定した場合に各サイドレール２４を操作及び／又は保管位置のいずれか一つに保つことができる固定機構（不図示）を有することができ、固定していない場合には操作位置と保管位置との間で各サイドレール２４の動作を円滑にできる。
【００１５】
サイドレール本体３２は、図１〜図９に示すように、第１表面３６、第２表面３８、第３表面４０又は第１表面３６と第２表面３８との間に延びる側面４０、グリップ部４２、医療用配線マネージャー４４を有することができる。当然のことながら、サイドレール２４には、人体支持装置１０の様々な機能性を制御するために操作可能な介護者用インターフェイス（不図示）を有することができる。第１表面３６及び第２表面３８の少なくとも一部は、実質的に互いに平行であってもよい。第１表面３６は、第１表面３６が上段フレーム１６の方を向くように方向付けることができ、第２表面３８は、第２表面３８が上段フレーム１６から離れる方を向くように方向付けることができる。
【００１６】
グリップ部４２は、図１〜図９に示すように、人体支持装置１０から人が出入りするのを補助するために出入りする人が握れるよう構成できる。例示の一実施形態において、図１〜図９に示すように、グリップ部４２は上部ＳＴ１に沿って配置でき、サイドレール本体３２を通過できるグリップ開口部４６を含むことができ、グリップ部４２の内面４８を定義できる。
【００１７】
医療用配線マネージャー４４は、図１〜図９に示すように、サイドレール２４の側面４０に組込むことができる。例示の一実施形態において、医療用配線マネージャー４４は、図１〜図５及び図７〜図９に示すように、頭部サイドレール２４ａの上部ＳＴ１に沿って側面４０に組み込ませることができる。別の例示的な実施形態において、医療用配線マネージャー４４は、図６に示すように、サイドレール２４の端部ＳＥ１に沿って側面４０に組み込ませることができる。また別の実施形態において、医療用配線マネージャー４４は、図１〜図５及び図７〜図９に示すように、足部サイドレール２４ｂの上部ＳＴ１に沿って側面４０に組み込ませることができる。さらにまた別の実施形態において、医療用配線マネージャー４４は、図１〜図５及び図７〜図９に示すように、グリップ部４２の一部に組み込ませることができる。当然のことながら、二つ以上の医療用配線マネージャー４４を側面４０、第１表面３６、及び第２表面３８の少なくとも一つに組み込ませることができる。同様に当然のことながら、医療用配線マネージャーは、第１表面３６及び第２表面３８の少なくとも一つに組み込ませることができる。さらに当然のことながら、医療用配線マネージャー４４は、図１０に示すようにヘッドボードＨＢ１及びフットボードＦＢ１の少なくとも一つの少なくとも片面に組み込ませることができる。
【００１８】
医療用配線マネージャー４４は、その中に少なくとも一つの医療配線５０を受け入れ、取り外し自在に保持するように構成することができる。例示の一実施形態において、医療用配線マネージャー４４は、約１本の医療用配線５０から約８本の医療用配線５０までを取り外し自在に保持するように構成できる。別の例示的な実施形態において、医療用配線マネージャー４４は、約２８ＦＲ（フレンチ）又は約０.３６７インチ（約０．９３２ｃｍ）の少なくとも約４本の点滴を取り外し自在に保持するように構成できる。また別の例示的な実施形態において、医療用配線５０を直径およそ１インチ（約２．５４ｃｍ）未満とすることができる。当然のことながら、医療用配線マネージャー４４は、より多数又は少数の医療用配線５０、及び／又はより太い又はより細い医療用配線５０を取り外し自在に保持するように構成できる。医療用配線５０は静脈ライン、酸素ライン、カテーテル、心臓用のライン、酸素管、ＥＫＧ／ＥＥＧ／ＥＣＧの電極、栄養管、及び他の医療用チューブ及び医療用配線であってもよく、又はこれらを含むこともできる。他の例示の実施形態において、医療用配線５０は、例えば、電源ケーブル、モニター配線、及び他の配線などの各ケーブル線５０であってもよい。
【００１９】
医療用配線マネージャー４４は、医療用配線５０の損傷及び医療用配線５０の絡みを軽減するために役立つ。医療用配線マネージャー４４は、例えば、患者を移動させる場合などの様々な状況において、少なくとも１本の医療用配線５０を容易に取り外しできるように構成することもできる。当然のことながら、医療用配線マネージャー４４は、患者に接続された少なくとも１本の医療用配線５０の管理及び整理に役立ち、また少なくとも１本の医療用配線５０が患者及び／又は装置から外れるのを防止する上で役立つ。
【００２０】
医療用配線マネージャー４４は、図１〜図９に示すように、第１端５２又は第１側面５２、第２端５４又は第２側面５４、及び第１端５２と第２端５４との間に延長できるベース５６又は底面５６を含み得る。第１端５２及び第２端５４は、側面４０の突出部又は凹部により定義できる。例示の一実施形態において、第１端５２及び第２端５４は、サイドレール２４から延長できる各突起部であってもよい。別の例示的な実施形態において、医療用配線マネージャー４４は、図３に示すように溝でもよい。また別の例示的な実施形態において、第１端５２はサイドレール２４の端部ＳＥ１の一部を形成できる。さらに他の例示の実施形態において、第１端５２及び第２端５４は、突出部及び凹部の組み合わせにより定義できる。当然のことながら、二つ以上の突出部又は凹部を備えることができる。
【００２１】
第１端５２は、図１〜図９に示すように、第２端５４から間隔をあけることができ、第１端５２と第２端５４が水平に同一平面上に位置しないように配向できる。当然のことながら、第１端５２と第２端５４は水平に同一平面上にあってもよい。例示の一実施形態において、サイドレール軸ＳＸ１が縦軸Ｘ１に実質上平行である場合、第１端５２は部分的に垂直方向に第２端５４の下にすることができ、ベース５６はサイドレール軸ＳＸ１に対して角度Ａ１で長さＬ１にすることができる。別の例示的な実施形態において、ベース５６はサイドレール軸ＳＸ１に対しておよそ３３°の角度でおよそ２インチ（約５．０８ｃｍ）の長さにすることができる。別の例示的な実施形態において、ベース５６は、ベース５６がグリップ部４２の内面４８に接するように角度を付けることができる。当然のことながら、グリップ部４２の内面４８を模倣するようにベース５６を湾曲させることができる。同様に当然のことながら、ベース５６を２インチ（約５．０８ｃｍ）より長く又は短くすることができる。
【００２２】
第１端５２は、図１〜図９に示すように、第１接合面５８及び第１接合面５８をベース５６に接続できる遷移部６０を含むことができる。第１接合面５８は、ベース５６に対して第１角度ＦＡ１を形成でき、第１長さＦＬ１とすることができる。例示の一実施形態において、第１接合面５８はベース５６に対して９０°の角度（サイドレール軸ＳＸ１に対しておよそ１２３°）を形成でき、およそ０.７インチ（約１．７７８ｃｍ）の長さにすることができる。別の例示的な実施形態において、第１接合面５８はベース５６に対しておよそ１２７°からおよそ９０°までの角度（サイドレール軸ＳＸ１に対しておよそ１６０°からおよそ１２０°までの角度）を形成できる。当然のことながら、第１接合面５８はベース５６に対しておよそ９０°を超える又は９０°未満の角度を形成でき、およそ０.７インチ（約１．７７８ｃｍ）超又は未満の長さにすることができる。
【００２３】
遷移部６０は、図１〜図９に示すように、医療用配線５０が医療用配線マネージャー４４上で引っかかったり絡んだりするのを防止する上で役立つ。例示の一実施形態において、図１〜図９に示すように遷移部６０を湾曲させることができる。当然のことながら、遷移部６０を斜面（不図示）にすることができる。
【００２４】
第１端５２は、図１〜図９に示すように、ベース５６から第１距離ＦＤ１分延ばすことができ、第１厚さＦＴ１にすることができる。例示の一実施形態において、第１端５２はベース５６から少なくともおよそ１.４インチ（約３．５５６ｃｍ）延ばすことができ、サイドレール２４の厚さＴＳ１に等しい厚さＦＴ１にすることができる。当然のことながら、第１端５２をサイドレール２４の厚さＴＳ１よりも厚い又は薄い厚さＦＴ１にすることもできる。同様に当然のことながら、第１端５２の厚さＦＴ１は、およそ３インチ（約７．６２ｃｍ）未満にすることができる。当然のことながら、第１端５２をベース５６から１.４インチ（約３．５５６ｃｍ）超又は未満に延ばすことができる。
【００２５】
第１端５２の少なくとも一部は、図１〜図９に示すように湾曲させることができる。例示の一実施形態において、第１端５２は第１距離ＦＤ１のおよそ半分の曲率半径にすることができる。別の例示的な実施形態において、曲率半径はおよそ０.７インチ（約１．７７８ｃｍ）にすることができる。当然のことながら、第１端５２の少なくとも一部は縦方向及び／又は横方向に湾曲させることができる。
【００２６】
第２端５４は、図１〜図９に示すように、第２接合面６２、及び第２接合面６２をベース５６へ接合できる遷移部６４を含み得る。第２接合面６２はベース５６に対して第２角度ＳＡ１を形成でき、第２長さＳＬ１にすることができる。例示の一実施形態において、第２接合面６２はベース５６に対しておよそ１２０°の角度（サイドレール軸ＳＸ１に対しておよそ９０°）を形成でき、およそ０.６インチ（約１．５２４ｃｍ）未満の長さにすることができる。別の例示的な実施形態において、第２接合面６２は、ベース５６に対しておよそ１２０°からおよそ１００°までの角度（サイドレール軸ＳＸ１に対しておよそ９０°からおよそ７０°までの角度）を形成できる。当然のことながら、第２接合面６２は、ベース５６に対しておよそ１２０°超又はおよそ１００°未満の角度（サイドレール軸ＳＸ１に対しておよそ９０°超又はおよそ７０°未満）を形成でき、およそ０.６インチ（約１．５２４ｃｍ）を超える長さにすることができる。
【００２７】
第２端５４は、図１〜図９に示すように、ベース５６から第２距離ＳＤ１分延ばすことができ、第２厚さＳＴ１にすることができる。例示の一実施形態において、第２端５４はベース５６から少なくともおよそ０.５インチ（約１．２７ｃｍ）延ばすことができ、サイドレール２４の厚さＴＳ１よりも薄い厚さＳＴ１とすることができる。当然のことながら、第２端５４をサイドレール２４の厚さＴＳ１よりも厚い又は薄い厚さＳＴ１にすることができる。同様に当然のことながら、第２端５４の厚さＳＴ１はおよそ３インチ（約７．６２ｃｍ）未満にすることができる。また当然のことながら、第２端５４の厚さＳＴ１は、およそ１.５インチ（約３．８１ｃｍ）から２インチ（約５．０８ｃｍ）の間にすることができる。また同様に当然のことながら、第２端５４はベース５６から０.５インチ（約１．２７ｃｍ）超又は未満に延ばすことができる。
【００２８】
第２端５４の少なくとも一部は、図１〜図９に示すように湾曲させることができる。例示の一実施形態において、第２端５４は第２距離ＳＤ１のおよそ半分の曲率半径にすることができる。別の例示的な実施形態において、曲率半径は０.２５インチ（約０．６３５ｃｍ）にすることができる。当然のことながら、図３〜図４に示すように、第２端５４の少なくとも一部は縦方向及び／又は横方向に湾曲させることができる。
【００２９】
操作中、図６に示すように、医療用配線マネージャー４４は第１位置にすることができ、第１部分Ｆ１及び第２部分Ｓ１が概して水平となる。少なくとも１本の医療用配線５０を医療用配線マネージャー４４内に配置でき、第１端５２、第２端５４、ベース５６、及び遷移部５８の少なくとも一つを接合できる。第１部分Ｆ１が第２部分Ｓ１に対して移動するのに伴い、医療用配線マネージャー４４は、図７に示すように第１位置から第２位置へ移動できる。当然のことながら、第１部分Ｆ１及び第２部分Ｓ１は第２位置に対して水平に、例えば、トレンデレンブルグ及び逆トレンデレンブルグ体位に移動できる。医療用配線５０は、第１端５２と第２端５４との間の医療用配線マネージャー４４内で移動でき、医療用配線マネージャー４４内に医療用配線５０を維持するために医療用配線マネージャー４４の様々な部分を接合させる。
【００３０】
医療用配線５０を医療用配線マネージャー４４から取り外すには、医療用配線５０は第１端５２と第２端５４との間で、例えば、第１端５２又は第２端５４の上から引っ張るか又は滑らせて動かすことができる。当然のことながら、医療用配線５０は第１端５２又は第２端５４との間から持ち上げて取り出し、医療用配線５０を医療用配線マネージャー４４から取り外すことができる。
【００３１】
また本開示の多数の他の実施形態も想定されている。例えば、人体支持装置はフレーム及びサイドレールを備える。フレームはその上の人を支えるように構成されている。サイドレールはフレームに結合されている。サイドレールには、第１表面、第２表面、及び第１表面付近と第２表面付近の間に延びる第３表面を有するサイドレール本体を含む。第１表面は第１表面がフレームに面するように配向され、第２表面は第２表面がフレームから離れる方向に面するように配向される。第３表面には、その中に少なくとも１本の医療用配線を受け入れ、取り外し自在に保持するように構成された医療用配線マネージャーを含む。
【００３２】
別の実施例において、サイドレールアセンブリは、サイドレール及び医療用配線マネージャーを備える。サイドレールには、第１表面、第２表面、及び第１表面付近と第２表面付近との間に延びる側面を有するサイドレール本体を含む。医療用配線マネージャーは、サイドレールの第１表面、第２表面、及び側面の少なくとも一つに組み込まれる。医療用配線マネージャーは、第１側面、第２側面、及び第１表面付近と第２表面付近との間に延びる底面を含む。医療用配線マネージャーは、その中に少なくとも１本の医療用配線を受け入れ、取り外し自在に保持するように構成されている。
【００３３】
また別の実施例において、人体支持装置は、フレーム、エンドボード、サイドレール、及び医療用配線マネージャーを備える。フレームには、第１端及び第２端が含まれ、第１端及び第２端を通って延びる縦軸と、該縦軸に実質的に垂直な横軸とを有する。エンドボードはフレームの第１端及び第２端の少なくとも一つに結合されている。サイドレールはフレームに結合されている。医療用配線マネージャーは、エンドボード及びサイドレールの少なくとも一つに組み込まれる。医療用配線マネージャーは、第１側面、第２側面、及び第１側面付近と第２側面付近との間に延びる底面を含み、医療用配線マネージャーはその中に少なくとも１本の医療用配線を受け入れ、取り外し自在に保持するように構成されている。
【００３４】
本願明細書に明記された如何なる理論、操作機構、証拠、又は所見も、本開示の原理の理解をさらに深めるためのものであり、本開示を如何なる方法でも当該理論、操作機構、例示の実施形態、証拠、又は所見に依存させることを意図していない。上記の記述中にある好ましい、好ましくは、好まれるという文言の使用はそのように記載された特徴がより望ましいことを示すが、それでもなお必要とされるのではなく、同様のことが欠如する実施形態も本開示の範囲内であるとして考慮でき、その範囲は以下の請求項により定義されるものとして理解すべきである。
【００３５】
各請求項を読む際において、「一つの」、「少なくとも一つの」、「少なくとも一部の」などの文言が使用されている場合、請求項に特にそれに反する記載がない限り、一つの項目のみに請求項を限定する意図は一切ない。「少なくとも一部」及び／又は「一部」という文言が使用されている場合、特にそれに反する記載がない限り、該項目は一部及び／又は全項目を含み得る。
【００３６】
選択された実施形態のみが図示及び説明されており、本明細書で定義される又は以下の任意の請求項により定義される本開示の趣旨の範囲内にあるすべての可能な変形例、変更例、態様、組み合わせ、原理、バリエーション、及び同等物が保護されることが望ましいことを理解すべきである。本開示の実施形態は各図面及び前述の記載に詳細に図示及び説明されているが、同上は説明に役立つものとして見做されるべきであり、本開示を網羅又は開示された厳密な形式に限定することを意図してはいない。当業者には付加的な変形例、変更例、及びバリエーションが明らかになる。また、複数の発明の態様及び原理が提示されたが、それらを組み合わせで利用する必要はなく、上記の様々な実施形態を踏まえ、発明の態様及び原理の様々な組み合わせが可能である。
【図１】
2011019912.tif 000003
【図２】
2011019912.tif 000004
【図３】
2011019912.tif 000005
【図４】
2011019912.tif 000006
【図５】
2011019912.tif 000007
【図６】
2011019912.tif 000008
【図７】
2011019912.tif 000009
【図８】
2011019912.tif 000010
【図９】
2011019912.tif 000011
【図１０】
2011019912.tif 000012
【外国語明細書】
2011019912.tif 000013
2011019912.tif 000014
2011019912.tif 000015
2011019912.tif 000016
2011019912.tif 000017
2011019912.tif 000018
2011019912.tif 000019
2011019912.tif 000020
2011019912.tif 000021
2011019912.tif 000022
2011019912.tif 000023
2011019912.tif 000024
2011019912.tif 000025
2011019912.tif 000026
2011019912.tif 000027
2011019912.tif 000028
2011019912.tif 000029
2011019912.tif 000030
2011019912.tif 000031
2011019912.tif 000032
2011019912.tif 000033
2011019912.tif 000034
2011019912.tif 000035
2011019912.tif 000036
2011019912.tif 000037
2011019912.tif 000038
2011019912.tif 000039
2011019912.tif 000040
2011019912.tif 000041